(57)【要約】【課題】  サーバ装置との通信に用いる通信パラメータの設定にかかる操作が容易に行える携帯端末装置を提供する。【解決手段】  携帯端末装置１は、バーコードリーダ１４が読み取ったバーコードのバーコードデータが、サーバ装置２との通信に用いる通信パラメータにかかるデータであるかどうかを判定し、サーバ装置２との通信にかかるデータであれば、このデータをパラメータ保持部１５に保持する。したがって、バーコードデータがこの携帯端末装置１に対する通信パラメータであるバーコードをバーコードリーダ１４で読み取るだけで通信パラメータの設定が行える。【選択図】  図２
2005110039.tif 000002
【特許請求の範囲】
【請求項１】
パラメータ保持手段が保持している通信パラメータに基づいて、サーバ装置と通信する通信手段を備えた携帯端末装置において、
バーコードリーダが接続され、このバーコードリーダがバーコードから読み取ったバーコードデータの入力を受け付けるバーコードデータ受付手段と、
上記バーコードデータ受付手段が受け付けたバーコードデータが上記通信パラメータにかかるデータであるかどうかを判定し、通信パラメータにかかるデータであれば該バーコードデータを上記パラメータ保持手段に保持させる制御手段と、を備えた携帯端末装置。
【請求項２】
パラメータ保持手段が保持している通信パラメータに基づいて、サーバ装置と通信する通信手段を備えた携帯端末装置において、
バーコードを走査して、このバーコードからバーコードデータを読み取るバーコード読取手段と、
上記バーコード読取手段がバーコードから読み取ったバーコードデータが上記通信パラメータにかかるデータであるかどうかを判定し、通信パラメータにかかるデータであれば該バーコードデータを上記パラメータ保持手段に保持させる制御手段と、を備えた携帯端末装置。
【請求項３】
上記制御手段は、バーコードデータに予め定められた特定のデータが含まれていれば、このバーコードデータを上記通信パラメータにかかるデータであると判定する請求項１または２に記載の携帯端末装置。
【請求項４】
上記制御手段は、通信パラメータにかかるデータでないと判定したバーコードデータを上記通信手段によりサーバ装置へ送信する請求項 1〜３のいずれかに記載の携帯端末装置。
【請求項５】
パラメータ保持手段が保持している通信パラメータに基づいて、サーバ装置と通信する通信手段を備えた携帯端末装置に通信パラメータを設定する通信パラメータ設定方法において、
インタネット上で公開されているページにアクセスできる装置で、所定のページにアクセスして、上記携帯端末装置に対する通信パラメータをバーコードデータとしたバーコードの画像をダウンロードし、このダウンロードしたバーコードの画像をこの携帯端末装置本体に接続された、または内蔵されたバーコードリーダで読み取り、これを通信パラメータとしてパラメータ保持手段に保持させる通信パラメータ設定方法。
【発明の詳細な説明】
【技術分野】
【０００１】
この発明は、サーバ装置と通信する携帯端末装置に関し、特に通信パラメータの設定が容易に行える携帯端末装置に関する。
【背景技術】
【０００２】
従来、ＬＡＮ、ＷＡＮ、公衆回線網等のネットワークを介してサーバ装置に接続した携帯端末装置で、このサーバ装置が管理しているデータの検索や更新等が行えるネットワークシステムが実用化され、一般に広く普及している。このネットワークシステムでは、携帯端末装置がサーバ装置に対してデータの検索や更新等の処理を要求し、サーバ装置が要求された処理を実行する。また、サーバ装置は、要求された処理に必要なデータの入力要求や処理結果を携帯端末装置に送信する。携帯端末装置は、サーバ装置から入力要求があると、今回要求されたデータをサーバ装置に送信し、またサーバ装置から処理結果を受信すると、この処理結果を表示部に表示する等の出力処理を行う。
【０００３】
この種のネットワークシステムとしては、物品の在庫状況を管理するシステムや、荷物の配送状況を管理するシステム等、がある。例えば、物品の在庫状況を管理するシステムでは、物品の入荷、出荷を行う者が携帯端末装置を所持し、物品の入荷時に入荷した物品の種類、個数等の入荷データを携帯端末装置に入力し、この入荷データをサーバ装置に送信する。また、物品の出荷時に出荷した物品の種類、個数等の出荷データを携帯端末装置に入力し、この出荷データをサーバ装置に送信する。サーバ装置では、携帯端末装置から送られてきた入荷データ、出荷データに基づいて、物品の在庫状況を管理する。携帯端末装置における上記入荷データ、出荷データの入力は、携帯端末装置に設けられた操作部の入力キーの操作や、内蔵または接続されたバーコードリーダによるバーコードの読み取り等によって行われる。
【０００４】
このように、携帯端末装置はサーバ装置と通信することにより、サーバ装置が管理しているデータの検索や更新等が行えるのであるが、サーバ装置と通信するための通信パラメータ（ＩＰアドレス等）を予め設定しておく必要がある。言い換えれば、通信パラメータが設定されていない携帯端末装置では、サーバ装置に接続することができず、サーバ装置で管理されているデータの検索や更新等が行えない。
【０００５】
従来の携帯端末装置における通信パラメータの設定は、例えばオペレータが携帯端末装置の操作部を操作して通信パラメータを入力したり、携帯端末装置に設定する通信パラメータを他の機器（例えばパーソナルコンピュータ）に入力し、この他の機器と携帯端末装置とをデータ通信ライン（例えばＲＳ−２３２Ｃ）で接続し、携帯端末装置へ通信パラメータを伝送することにより行われている。
【０００６】
なお、特許文献１には、サーバ装置と通信する携帯端末装置ではないが、動作時に使用する各種のパラメータの設定を、バーコードの読み取りにより行うバーコードリーダが記載されている。
【特許文献１】特開昭６３−２９２２８２号公報
【発明の開示】
【発明が解決しようとする課題】
【０００７】
しかしながら、オペレータが携帯端末装置の操作部を操作して通信パラメータを入力し、この携帯端末装置にＩＰアドレス等の通信パラメータを設定する方法では、設定する通信パラメータ毎に、種類の選択、通信パラメータの入力を繰り返さなければならず、通信パラメータの設定にかかるオペレータの入力操作が煩雑であり、通信パラメータの設定が面倒であるという問題があった。
【０００８】
また、他の機器から携帯端末装置に通信パラメータを伝送して通信パラメータを設定する方法では、この他の機器が設置されている場所へ携帯端末装置本体を送り、その後通信パラメータが設定された携帯端末装置が送り返されてくるのを待たなければならず、携帯端末装置がすぐに使用できないという問題があった。
【０００９】
なお、上記特許文献１は、動作時に使用する各種のパラメータの設定にかかる操作を容易にしたバーコードリーダであって、サーバ装置と通信する携帯端末装置における通信パラメータの設定を容易にする提案ではなかった。
【００１０】
この発明の目的は、サーバ装置との通信に用いる通信パラメータの設定にかかる操作が容易に行える携帯端末装置を提供することにある。
【課題を解決するための手段】
【００１１】
この発明の携帯端末装置は、上記目的を達成するために以下の構成を備えている。
【００１２】
（１）パラメータ保持手段が保持している通信パラメータに基づいて、サーバ装置と通信する通信手段を備えた携帯端末装置において、
バーコードリーダが接続され、このバーコードリーダがバーコードから読み取ったバーコードデータの入力を受け付けるバーコードデータ受付手段と、
上記バーコードデータ受付手段が受け付けたバーコードデータが上記通信パラメータにかかるデータであるかどうかを判定し、通信パラメータにかかるデータであれば該バーコードデータを上記パラメータ保持手段に保持させる制御手段と、を備えている。
【００１３】
この構成では、バーコードデータ受付手段が本体に接続されたバーコードリーダがバーコードから読み取ったバーコードデータの入力を受け付け、制御手段が今回受け付けたバーコードデータが通信パラメータにかかるデータであるかどうかを判定する。そして、通信パラメータにかかるデータであれば、今回受け付けたバーコードデータをパラメータ保持手段に保持させる。
【００１４】
したがって、バーコードデータが通信パラメータであるバーコードを本体に接続したバーコードリーダで読み取るだけで通信パラメータを設定することができ、通信パラメータの設定が正確、且つ容易に行える。また、バーコードデータが通信パラメータであるバーコードは、紙に印刷したものであってもよいし、表示装置の画面に表示させたものであってもよい。この場合、インタネット上で公開されているページで、携帯端末装置の識別番号等を入力することにより、この携帯端末装置に対する通信パラメータをバーコードデータとしたバーコードの画像が得られるようにしておけば、通信パラメータの設定に用いるバーコード、すなわち通信パラメータの設定時にバーコードリーダで読み取るバーコードを、迅速に入手できる。また、サーバ装置との通信パラメータの盗難を防止し、セキュリティを高めるために、通信パラメータをバーコードデータとしたバーコードの画像をダウンロードするときにパスワードの入力を必要にしてもよい。
【００１５】
（２）パラメータ保持手段が保持している通信パラメータに基づいて、サーバ装置と通信する通信手段を備えた携帯端末装置において、
バーコードを走査して、このバーコードからバーコードデータを読み取るバーコード読取手段と、
上記バーコード読取手段がバーコードから読み取ったバーコードデータが上記通信パラメータにかかるデータであるかどうかを判定し、通信パラメータにかかるデータであれば該バーコードデータを上記パラメータ保持手段に保持させる制御手段と、を備えている。
【００１６】
この構成では、携帯端末装置にバーコードリーダが内蔵されており、上記（１）と同様にバーコードデータが通信パラメータであるバーコードを本体に内蔵したバーコードリーダで読み取るだけで通信パラメータを設定することができ、通信パラメータの設定が正確、且つ容易に行える。
【００１７】
（３）上記制御手段は、バーコードデータに予め定められた特定のデータが含まれていれば、このバーコードデータを上記通信パラメータにかかるデータであると判定する。
【００１８】
この構成では、予め定められた特定のデータが含まれているバーコードデータを通信パラメータにかかるデータであると判定するので、オペレータが携帯端末装置の動作モードを通信パラメータの設定モード、通常モード等の切り替えを行う必要がなく、通信パラメータの設定が一層容易に行える。
【００１９】
（４）上記制御手段は、通信パラメータにかかるデータでないと判定したバーコードデータを上記通信手段によりサーバ装置へ送信する。
【００２０】
この構成では、サーバ装置へ送信するデータの入力もバーコードの読み取りにより行える。
【発明の効果】
【００２１】
この発明によれば、バーコードデータが通信パラメータであるバーコードを本体に接続されたバーコードリーダ、または本体に内蔵したバーコードリーダで読み取るだけで通信パラメータを設定することができ、通信パラメータの設定が正確、且つ容易に行える。
【発明を実施するための最良の形態】
【００２２】
図１は、この発明の実施形態である携帯端末装置を適用したネットワークシステムの構成を示す図である。図１において、１が携帯端末装置であり、２がサーバ装置である。サーバ装置２は、ＬＡＮ等のネットワーク３に接続されている。４は携帯端末装置１のアクセスポイントである無線親機、５は無線親機をネットワーク３に接続するＨＵＢである。また、６は公衆回線網であり、７はルータである。サーバ装置２には、ブルーツース（登録商標）による無線通信を行う無線通信部２ａが設けられている。また、ネットワーク３には、図示していないがサーバ装置２で管理しているデータの検索や更新が行えるパーソナルコンピュータ等の情報処理装置も接続されている。
【００２３】
図２は、この発明の実施形態である携帯端末装置の構成を示すブロック図である。携帯端末装置１は、本体の動作を制御する制御部１１と、スペクトラム拡散方式（所謂ＳＳ無線方式）による無線通信を行う第１の無線通信部１２と、ブルーツース（ＢＴ）による無線通信を行う第２の無線通信部１３と、バーコードを読み取るバーコードリーダ１４と、サーバ装置２との通信に用いるＩＰアドレス等の通信パラメータを保持するパラメータ保持部１５と、を備えている。また、図示していないが携帯端末装置１には、オペレータが入力操作を行うキーを配置した操作部や、本体に対する入力に応じた画面を表示する表示部が設けられている。
【００２４】
携帯端末装置１は、第２の無線通信部１３においてサーバ装置２の無線通信部２ａとのブルーツースによる無線通信により、直接サーバ装置２と通信できる。また、携帯端末装置１は第１の無線通信部１２において無線親機４とのＳＳ無線による通信によりサーバ装置２と通信できる。この場合には、無線親機４、ＨＵＢ５、ネットワーク３を介した通信となる。さらに、携帯端末装置１は公衆回線網６、ルータ７、ネットワーク３を介してサーバ装置２と通信できる。この場合、公衆回線網６に接続するための構成（携帯電話機能）を有していない携帯端末装置１については、携帯電話機能を有するＰＨＳカード、ＤｏＰａカード、ＦＯＭＡカード等のモバイルカードや（ＤｏＰａ、ＦＯＭＡは登録商標）、携帯電話機を利用することにより、サーバ装置２と通信できる。携帯端末装置１とモバイルカード（または携帯電話機）との間の通信は、有線であってもよいし、ブルーツース等の無線通信であってもよい。また、携帯電話機能を有する携帯端末装置１については、この機能を用いてサーバ装置２と通信できる。携帯端末装置１は、上述したいずれの通信路でサーバ装置２と通信するかを切り替えることができる。
【００２５】
次に、この発明の実施形態である携帯端末装置１の動作について説明する。図３は、この発明の実施形態である携帯端末装置の動作を示すフローチャートである。携帯端末装置１は、本体に設けられた動作開始キーが操作されると図３に示す処理を開始する。携帯端末装置１は、本体に対する入力を待つ（ｓ１）。携帯端末装置１は、本体に対する入力があると、今回の入力が操作部のキー操作による入力であるか、バーコードリーダ１４でのバーコードの読み取りによる入力であるか、サーバ装置２から送られてきたデータであるか（ｓ２、３）を判定する。携帯端末装置１は、操作部のキー操作、およびバーコードリーダ１４でのバーコードの読み取りによる入力でないと判定したときに、サーバ装置１から送られてきたデータの入力であると判定する。
【００２６】
携帯端末装置１は、今回の入力が操作部のキー操作による入力であると判定すると、本体の動作終了時に操作する終了キーの操作であったかどうかを判定する（ｓ５）。ここで、終了キーの操作であったと判定すると、本体の動作を停止して本処理を終了する。また、ｓ５で終了キー以外のキー操作による入力であったと判定すると、今回操作されたキーに応じた処理（その他の処理）を実行する（ｓ６）。ｓ６にかかるその他の処理としては、今回入力されたデータをサーバ装置２へ送信するデータとして制御部１１に設けられているメモリ（不図示）に一時的に記憶する処理や、このメモリに記憶しているデータとともにサーバ装置２へデータの検索や、更新にかかる要求を送信する処理等である。サーバ装置２へ送信するデータ（上記メモリに記憶しているデータ）には、バーコードリーダ１４で読み取ったバーコードのバーコードデータが含まれていることもある。言い換えれば、サーバ装置２へ送信するデータを、バーコードリーダ１４で携帯端末装置１に入力できる。
【００２７】
また、携帯端末装置１は、今回の入力がサーバ装置２から送られてきたデータであると判定すると、サーバ装置２から送られてきたデータに基づく画面を表示部に表示する等の処理を実行する（サーバ装置２から送られてきたデータに基づく処理を実行する。）（ｓ４）。サーバ装置２から送られてくるデータとしては、先にサーバ装置２に送った処理要求に対する必要なデータの送信要求や、要求した処理の処理結果等である。携帯端末装置１は、操作部に設けられた送信キーが操作された場合等に、上記ｓ６でサーバ装置２への処理要求の送信や、サーバ装置２から要求されたデータの送信を行う。
【００２８】
また、携帯端末装置１は、今回の入力がバーコードリーダ１４でのバーコードの読み取りによるものであると判定すると、今回入力されたバーコードデータがサーバ装置２との通信に用いるＩＰアドレス等の通信パラメータにかかるデータであるかどうかを判定する（ｓ７）。携帯端末装置１は、今回入力されたバーコードデータに予め定められている特定のデータが含まれていると、このバーコードデータを通信パラメータにかかるデータであると判定し、反対に特定のデータが含まれていなければ、このバーコードデータを通信パラメータにかかるデータでないと判定する。例えば、携帯端末装置１は入力されたバーコードデータの先頭が予め定められた特定のデータ［ＡＡＡ］であれば、これを通信パラメータにかかるデータであると判定し、そうでなければ通信パラメータにかかるデータでないと判定する。この場合、特定のデータである［ＡＡＡ］に続くデータが通信パラメータにかかるデータである。
【００２９】
なお、上記説明では通信パラメータにかかるデータについて、その先頭が特定のデータであるとしたが、先頭以外の位置、例えば最後、が特定のデータであるとしてもよい。
【００３０】
携帯端末装置１は、ｓ８で通信パラメータにかかるデータでないと判定すると、今回入力されたバーコードデータが本体の動作終了にかかるデータであるかどうかを判定し（ｓ９）、動作終了にかかるバーコードデータであれば、本体の動作を停止して本処理を終了する。また、ｓ９で本体の動作終了にかかるデータでないと判定すると、今回入力されたバーコードデータを制御部１１に設けられているメモリ（不図示）に一時的に記憶する（ｓ１０）。ｓ１０でメモリに一時的に記憶するバーコードデータは、携帯端末装置１本体の内部処理に用いるデータや、サーバ装置２に送信するデータである。また、携帯端末装置１は、ｓ７でサーバ装置２との通信に用いる通信パラメータにかかるデータであると判定すると、今回入力されたバーコードデータによる通信パラメータをパラメータ保持部１５に保持する（ｓ８）。
【００３１】
携帯端末装置１は、上記ｓ４、ｓ６、ｓ８、ｓ１０にかかる処理を完了すると、ｓ１に戻って上記処理を繰り返す。
【００３２】
このように、この実施形態の携帯端末装置１は、バーコードリーダ１４によるバーコードの読み取りにより、サーバ装置２との通信に用いる通信パラメータの設定、本体の動作終了にかかる入力、本体１の内部処理やサーバ装置２に送信するデータの入力が行える。特に、携帯端末装置１に対する通信パラメータの設定がバーコードリーダ１４によるバーコードの読み取りによって行えることから、携帯端末装置１における通信パラメータの設定が正確、且つ容易に行える。また、オペレータは、携帯端末装置１に通信パラメータを設定するとき、特別な操作を何ら行わず、バーコードデータがこの携帯端末装置１に対する通信パラメータであるバーコードをバーコードリーダ１４で読み取るだけでよい。言い換えれば、オペレータは、携帯端末装置１を通信パラメータの設定モードに切り替える等の操作も行う必要がない。
【００３３】
次に、携帯端末装置１に通信パラメータを設定するオペレータに対して、この携帯端末装置１に対する通信パラメータをバーコードデータとしたバーコードを提供する方法について説明する。このバーコードは、サーバ装置２を管理する管理者側で発行する。
【００３４】
例えば、携帯端末装置１に通信パラメータを設定するオペレータがサーバ装置２の管理者側に対して、この携帯端末装置１がサーバ装置２と通信するのに必要となるＩＰアドレス等の通信パラメータの発行を要求する。この要求は、電話、電子メール等で行えばよい。管理者側では、サーバ装置２との通信を許可してもよい携帯端末装置１であるかどうかを判断し、許可する場合にこの携帯端末装置１をサーバ装置２に登録する。具体的には、携帯端末装置１を識別する端末識別コードと、この携帯端末装置１に割り当てるＩＰアドレス等を対応づけて登録する。そして、サーバ装置２への登録完了後に、今回登録した携帯端末装置１に対するＩＰアドレス等の通信パラメータをバーコードデータとしたバーコードを印刷する。サーバ装置２への携帯端末装置１の登録にかかる操作は、サーバ装置１本体で行ってもよいし、ネットワーク３に接続されたパーソナルコンピュータ等の情報処理装置で行ってもよい。また、通信パラメータをバーコードデータとしたバーコードの印刷は、サーバ装置２への携帯端末装置１の登録にかかる操作を行った装置に接続されているプリンタで印刷してもよいし、またネットワーク３に接続されているネットワークプリンタで印刷してもよい。
【００３５】
管理者は、バーコードが印刷された用紙を、今回通信パラメータの発行を要求してきたオペレータへ郵送してもよいが、この場合、この用紙がオペレータに届くまでに数日かかるので、ＦＡＸで電送するのが好ましい。また、上記説明では、管理者側において、通信パラメータをバーコードデータとしたバーコードを用紙に印刷するとしたが、通信パラメータをバーコードデータとしたバーコードの画像ファイルを添付ファイルとした電子メールを、今回通信パラメータの発行を要求してきたオペレータに送信し、この電子メールを受信したオペレータが添付ファイルを印刷するようにしてもよい。
【００３６】
オペレータは、上記のいずれかの方法で入手したバーコードを今回通信パラメータを設定する携帯端末装置１のバーコードリーダ１４で読み取ることにより、サーバ装置２との通信に必要な通信パラメータをパラメータ保持部１５に容易に保持させることができ、携帯端末装置１に対する通信パラメータの設定が正確、且つ容易に行える。
【００３７】
また、通信パラメータをバーコードデータとしたバーコードの画像ファイルを電子メールの添付ファイルで送信する方式では、この電子メールを受け取ったオペレータが、添付されている画像ファイルを開いて、パーソナルコンピュータ等の画面上に表示させたバーコードを、今回通信パラメータを設定する携帯端末装置１のバーコードリーダ１４で読み取ることにより、サーバ装置２との通信に必要な通信パラメータをパラメータ保持部１５に保持させることもできる。
【００３８】
さらに、携帯端末装置１がサーバ装置２と通信するのに必要となるＩＰアドレス等の通信パラメータの発行の要求がインタネット上で行えるようにしてもよい。具体的には、サーバ装置２の管理者が、インタネット上のＷｅｂサーバでサーバ装置２と通信するのに必要となるＩＰアドレス等の通信パラメータの発行の要求を受け付けるページを公開し、携帯端末装置１に通信パラメータを設定するオペレータがこのページにアクセスして通信パラメータの発行の要求を行う。このとき、オペレータは、通信パラメータの発行を要求する携帯端末装置１を識別する端末識別コード等のデータを入力する。そして、Ｗｅｂサーバがこのページで受け付けた要求をサーバ装置２に送り、サーバ装置２において、上述した今回通信パラメータの発行が要求された携帯端末装置１の登録にかかる処理を実行させる。その後、Ｗｅｂサーバにおいて、オペレータがアクセスしているページを、通信パラメータの発行の要求を行うページから、サーバ装置２が今回登録した携帯端末装置１に対するＩＰアドレス等の通信パラメータをバーコードデータとしたバーコードの画像のページに切り替える。これにより、オペレータは、サーバ装置２と通信するのに必要となるＩＰアドレス等の通信パラメータの発行の要求後、すぐにサーバ装置２と通信するための通信パラメータをバーコードデータとしたバーコードの画像を得ることができ、携帯端末装置１への通信パラメータの設定が迅速、正確、且つ容易に行える。通信パラメータの設定時には、画面上に表示されているバーコード、またはこの画面を印刷した用紙のバーコードを携帯端末装置１のバーコードリーダ１４で読み取ればよい。
【００３９】
また、サーバ装置２との通信に用いる通信パラメータの盗難を防止し、セキュリティを高めるために、通信パラメータの発行を要求するページにアクセスするとき、または通信パラメータの発行を要求するときに、パスワードを入力させるようにしてもよい。
【００４０】
なお、通信パラメータをバーコードデータとしたバーコードは、１次元バーコードであってもよいし、２次元バーコードであってもよい。
【００４１】
また、上記実施形態では、携帯端末装置１がバーコードリーダ１４を内蔵しているとしたが、図４に示すようにバーコードリーダ１４を、バーコードリーダ２１を接続するインタフェース２０（Ｉ／Ｆ２０）としてもよい。このようにすれば、携帯端末装置１本体のコストダウンが図れる。
【００４２】
なお、バーコードリーダ２１は、常に使用するものでないので、複数の携帯端末装置１でバーコードリーダ２１を共有しても、特に問題は生じない。また、携帯端末装置１は車載タイプであってもよいし、据え置き型であってもよい。
【図面の簡単な説明】
【００４３】
【図１】この発明の実施形態である携帯端末装置を適用したネットワークシステムの構成を示す図である。
【図２】この発明の実施携帯である携帯端末装置の構成を示すブロック図である。
【図３】、この発明の実施形態である携帯端末装置の動作を示すフローチャートである。
【図４】この発明の別の実施形態である携帯端末装置を適用したネットワークシステムの構成を示す図である。
【符号の説明】
【００４４】
１−携帯端末装置
２−サーバ装置
３−ネットワーク
１１−制御部
１４−バーコードリーダ
１５−パラメータ保持部
【図１】
2005110039.tif 000003
【図２】
2005110039.tif 000004
【図３】
2005110039.tif 000005
【図４】
2005110039.tif 000006